(57)【要約】【課題】光変換効率の高い固体発光素子を利用することで、高輝度かつ低消費電力化による電池寿命を救済し、医療用の器具として高い信頼性が保障できる照明付き舌圧子を提供すること。【解決手段】電池２が収容された把手部１と、前記把手部の端部に取り付けられた押圧部４と、前記押圧部を覆うようにして取り付けられた光透過性素材により構成された偏平状のカバー部材５と、前記電池の電力を利用して点灯される例えば有機ＥＬ発光体６とが具備される。前記有機ＥＬ発光体６からの光が、前記カバー部材５を透過して口腔内の照明光として利用される。前記カバー部材５は、前記押圧部材４に対して着脱可能に装着され、カバー部材５は使い捨てとして利用される。【選択図】図１
0003170581.tif 000002
【実用新案登録請求の範囲】
【請求項１】
電池が収容された把手部と、前記把手部の端部に取り付けられた押圧部材と、前記電池の電力を利用して点灯される固体発光素子とが具備され、
前記固体発光素子からの点灯光が、口腔内の照明光として利用可能に構成したことを特徴とする照明付き舌圧子。
【請求項２】
前記押圧部材には、光透過性の素材により構成したカバー部材が着脱可能に装着されていることを特徴とする請求項１に記載された照明付き舌圧子。
【請求項３】
前記固体発光素子が有機ＥＬ発光体により構成され、前記有機ＥＬ発光体が前記押圧部材内に収容されていることを特徴とする請求項１または請求項２に記載された照明付き舌圧子。
【請求項４】
前記固体発光素子がＬＥＤにより構成され、前記ＬＥＤの点灯光が、導光性の素材により形成された前記押圧部材を介して、口腔内の照明光として利用可能に構成したことを特徴とする請求項１または請求項２に記載された照明付き舌圧子。
【請求項５】
前記押圧部材は導光性の合成樹脂素材に、酸化チタン、酸化アルミニウム、硫酸バリウム、ゼオライトの単体、またはそれらの混合物を分散させて成形されていることを特徴とする請求項４に記載された照明付き舌圧子。
【考案の詳細な説明】
【技術分野】
【０００１】
この考案は、咽喉や咽頭などの口腔内部の診断に使用され、口腔内を照明することができる照明付き舌圧子に関する。
【背景技術】
【０００２】
医師が咽喉や咽頭などの口腔内部を診断する場合には、舌を押さえる舌圧子が用いられる。この舌圧子を利用する場合には、医師の頭部に取り付けた反射鏡を利用して室内の光を患部（口腔内）に照射して観察するか、もしくはペンライト等の光を患部に照射して観察するなどの手段が併用される。
【０００３】
これによると、舌圧子を使用するにあたり、医師の頭部に反射鏡を装着して、その角度を調節したり、片手でペンライト等を把持するなど、診断にあたって不自由な点がある。これを改善するために、舌圧子の根元部分に照明用の光源を備えた照明付き舌圧子が提案されており、これは次に示す特許文献に記載されている。
【先行技術文献】
【特許文献】
【０００４】
【特許文献１】特開平２−５２６３０号公報
【特許文献２】実開平６−６８７１９号公報
【考案の概要】
【考案が解決しようとする課題】
【０００５】
前記特許文献に開示された照明付き舌圧子によると、舌圧子が取り付けられた把手部に電球による照明用光源が備えられ、この光源からの光を複数本の光ファイバを利用して伝達したり、この光ファイバに代わる凸状のリムを利用するなどして、光の利用効率を向上させる工夫がなされている。
【０００６】
ところで、前記特許文献に開示された照明付き舌圧子によると、照明用光源として電球が用いられ、その電源として電池が用いられた構成が採用されている。
これによると、電球そのものが光の変換効率が悪いために消費電力が大きく、そのために電池の寿命を短くし、その上に電球そのものが突然不良（いわゆる球切れ）になるなどの信頼性に乏しい問題を抱えている。したがって、この種の医療用の器具などにおいては、その信頼性の面から改良の余地がある。
【０００７】
この考案は、前記した従来の照明付き舌圧子が持つ問題点を解消するためになされたものであり、光変換効率の高い有機ＥＬ発光体やＬＥＤなどの固体発光素子を利用することで、高輝度かつ低消費電力化による電池寿命を救済し、医療用の器具として信頼性が保障できる照明付き舌圧子を提供することを課題とするものである。
【課題を解決するための手段】
【０００８】
前記した課題を解決するためになされたこの考案にかかる照明付き舌圧子は、電池が収容された把手部と、前記把手部の端部に取り付けられた押圧部材と、前記電池の電力を利用して点灯される固体発光素子とが具備され、前記固体発光素子からの点灯光が、口腔内の照明光として利用できるように構成したことを特徴とする。
【０００９】
この場合、前記押圧部材には、光透過性の素材により構成したカバー部材が着脱可能に装着されて、カバー部材が容易に交換できるように構成されていることが望ましい。
【００１０】
そして、一つの好ましい実施の形態においては、前記固体発光素子は有機ＥＬ発光体により構成され、前記有機ＥＬ発光体が前記押圧部材内に収容された構成が採用される。
【００１１】
また、他の好ましい実施の形態においては、前記固体発光素子がＬＥＤにより構成され、前記ＬＥＤの点灯光が、導光性の素材により形成された前記押圧部材を介して、口腔内の照明光として利用可能に構成される。
【考案の効果】
【００１２】
前記した構成の照明付き舌圧子によると、有機ＥＬ発光体もしくはＬＥＤに代表される固体発光素子からの点灯光は、口腔内の照明光として利用することができる。
すなわち、光の変換効率の高い前記した固体発光素子を利用することにより、電池の寿命を救済できるだけでなく、従来用いられていた電球のように突然球切れになるなどの問題も回避され、この種の医療用器具の動作の信頼性を向上させることに寄与できる。
【００１３】
さらには、前記押圧部材には、光透過性の素材により構成したカバー部材が着脱可能に装着されるので、カバー部材をいわゆる使い捨てとして扱うことができ、医療用器具としての衛生管理に万全に対応することができる。
【図面の簡単な説明】
【００１４】
【図１】この考案に係る照明付き舌圧子の第１の実施の形態を示した正面図である。
【図２】同じくカバー部材を着脱する状態を示した正面図である。
【図３】図１に示す状態から軸回転させた側面図である。
【図４】第１の実施の形態において用いられる有機ＥＬ発光体の基本構成を示した断面図である。
【図５】この考案に係る照明付き舌圧子の第２の実施の形態を示した正面図である。
【図６】同じくカバー部材を着脱する状態を示した正面図である。
【図７】図５に示す状態から軸回転させた側面図である。
【考案を実施するための形態】
【００１５】
この考案に係る照明付き舌圧子について、図に示す実施の形態に基づいて説明する。
図１〜図３に示す第１の実施の形態において、符号１は筒体状に形成された把手部であり、その内部には交換可能な電池２が収容されている。
この把手部１の長手方向の一端部（図における左側）には、後述する固体発光素子を点灯制御する電源スイッチ（例えば押しボタンスイッチ）３が取り付けられている。
【００１６】
前記把手部１の長手方向の他端部（図における右側）には、偏平状にして長尺状に形成された押圧部材４が、前記把手部１の長手方向と同方向に取り付けられている。
この実施の形態においては、図２にも示されているとおり、前記押圧部材４の長手方向に沿って、固体発光素子としての有機ＥＬ発光体６が埋設されるようにして取り付けられており、咽喉や咽頭などの口腔内部を診断するにあたって、舌を押さえるためのカバー部材５が、前記押圧部材４を覆うようにして着脱可能に装着されている。
【００１７】
前記カバー部材５は、例えばアクリルまたはスチロール等の光透過性素材による樹脂により偏平状に形成されている。そして、カバー部材５に形成された中空部５ａが前記押圧部材４を覆うようにして押圧部材４に対して装着される。
なお、図には示されていないが、前記カバー部材５に形成された中空部５ａ内の一部、および前記押圧部材４の外側面の一部に、例えば凹凸部を設け、押圧部材４に対してカバー部材５がクリック感をもって着脱されるように構成すると、その取り扱いを容易にすることができる。
【００１８】
図４は、図１〜図３に示した実施の形態において用いられる有機ＥＬ発光体６の基本構成を断面図で示したものである。
この有機ＥＬ発光体６は、透明な素材による素子形成基板６ａの片面に第１電極となる例えばＩＴＯによる透明電極６ｂが形成される。また前記透明電極６ｂに重畳されるようにして有機物質からなる発光機能層６ｃが成膜される。
【００１９】
この発光機能層６ｃは、有機発光層の単一層、あるいは有機正孔輸送層と有機発光層からなる二層構造、または有機正孔輸送層と有機発光層および有機電子輸送層からなる三層構造、さらにこれらの適切な層間に電子もしくは正孔の注入層を挿入した多層構造になされる場合もある。なお図４においてはこれらを一層の状態で符号６ｃとして示している。
【００２０】
また、前記発光機能層６ｃ上には例えばアルミニウム等を主体とした金属製の背面電極６ｄが第２電極として形成される。さらに前記背面電極６ｄ上には、封止部材６ｅが装着され、この封止部材６ｅによって、前記した透明電極６ｂ、発光機能層６ｃ、背面電極６ｄが前記基板６ａとの間で封止されて、有機ＥＬ発光体６が形成されている。
【００２１】
そして、前記透明電極６ｂと背面電極６ｄとの間には、前記した電池２による直流電流がスイッチ３を介して加えられる。
これにより、発光機能層６ｃにおいて発生する光は、前記透明電極６ｂおよび透明基板６ａを透過して外部に導出される。この光は、前記した光透過性素材により構成されたカバー部材５を介して口腔内部の照明光として利用される。
なお図３は、有機ＥＬ発光体６からの光がカバー部材５を透過して、口腔内部の照明光として利用される状態を模式的に示したものである。
【００２２】
斯くして、図１〜図４に示した実施の形態によると、固体発光素子としての有機ＥＬ発光体６が有する低消費電力ならびに発光が長寿命である特性を生かして、この種の医療用器具の動作の信頼性を確保することに寄与できる。
また、舌を押さえるカバー部材５は前記押圧部材４を覆うようにして着脱可能に装着されているので、カバー部材５をいわゆる使い捨てとして扱うことができ、医療用器具としての衛生管理に十分対応することができる。
【００２３】
次に図５〜図７は、この考案に係る照明付き舌圧子における第２の実施の形態を示したものである。なお図５〜図７においては、すでに説明した図１〜図３に示す各部と同一の機能を果たす部分を同一符号で示しており、したがってその詳細な説明は適宜省略する。
【００２４】
この第２の実施の形態においては、固体発光素子としてＬＥＤが用いられている。
すなわち、前記ＬＥＤ７は図５〜図７に示すように、押圧部材４が取り付けられた把手部１内において、押圧部材４に対向するようにして配置されている。
そして、この実施の形態においては、前記押圧部材４は導光性の合成樹脂により成形されており、さらに光反射効率を高めるために、例えば酸化チタン、酸化アルミニウム、硫酸バリウム、ゼオライトなどの光反射粒子の単体、またはそれらの混合物を分散させて成形されている。
加えて、前記押圧部材４の一つの面には、一例として線状の凹凸部４ａが長手方向に直交する方向に向かって多数形成されている。
【００２５】
前記線状の凹凸部４ａは、導光性の押圧部材４内を長手方向に直進する前記ＬＥＤ７からの光を乱反射する機能を果たし、これにより、前記押圧部材４の面に直交する方向に光を放射するように作用する。
この押圧部材４の面に直交する方向に放射するＬＥＤ７からの光は、図７に示すように押圧部材４を覆う前記カバー部材５を透過し、口腔内部の照明光として効果的に利用することができる。
【００２６】
なお、図５〜図７に示した第２の実施の形態においても、固体発光素子としてのＬＥＤの特質を生かして、図１〜図４に示した第１の実施の形態と同様の作用効果を得ることができる。
【００２７】
以上のとおり、この発明に係る照明付き舌圧子によると、その光源として従来の照明付き舌圧子おいて利用されている電球を除き、有機ＥＬ発光体、ＬＥＤを含む固体発光素子を利用したことで、高輝度かつ低消費電力化により電池寿命を救済し、医療用の器具として高い信頼性が保障できる照明付き舌圧子を提供することができる。
【符号の説明】
【００２８】
１    把手部
２    電池
３    電源スイッチ
４    押圧部材
４ａ  凹凸部
５    カバー部材
５ａ  中空部
６    有機ＥＬ発光体（固体発光素子）
６ａ  素子形成基板
６ｂ  透明電極
６ｃ  発光機能層
６ｄ  対向電極
６ｅ  封止基板
７    ＬＥＤ（固体発光素子）
【図１】
0003170581.tif 000003
【図２】
0003170581.tif 000004
【図３】
0003170581.tif 000005
【図４】
0003170581.tif 000006
【図５】
0003170581.tif 000007
【図６】
0003170581.tif 000008
【図７】
0003170581.tif 000009